(57)【要約】【課題】容器と容器の蓋との嵌着性に優れ、容器の蓋同士のスタック性にも優れ、かつ成形性にも優れた意匠性の高い容器の蓋を提供する。【解決手段】円板状の天板部１と、前記天板部１の外周縁の近傍には上方へ突出した断面逆コの字形の突出部３を形成し、前記突出部３の外周から下端へ延出した側壁部２を形成するとともに、前記突出部３の外周壁は波形に形成しており、前記側壁部２と突出部３の境目に棚部２ａを設けた容器の蓋Ａである。【選択図】図１
2013079094.tif 000002
【特許請求の範囲】
【請求項１】
円板状の天板部と、前記天板部の外周縁の近傍には上方へ突出した断面逆コの字形の突出部を形成し、前記突出部の外周から下端へ延出した円筒状の側壁部を有する合成樹脂材でできた容器の蓋であって、前記突出部の外周壁は波形に形成しており、前記側壁部と突出部の境目に棚部を設けたことを特徴とする容器の蓋。
【請求項２】
円板状の天板部と、前記天板部の外周縁の近傍には上方へ突出した断面逆コの字形の突出部を形成し、前記突出部の外周から下端へ延出した円筒状の側壁部を有する合成樹脂材でできた容器の蓋であって、前記側壁部と突出部の境目に棚部を設け、前記棚部が上下に波形を形成するとともに、前記波形の上端の一部に上方へ突出した外壁凸部を設けたことを特徴とする容器の蓋。
【請求項３】
前記棚部の裏面側が押さえ部であることを特徴とする請求項１または２に記載の容器の蓋。
【請求項４】
前記側壁部の裏面周壁に、内側へ突出した嵌合部を設けたことを特徴とする請求項１乃至３のいずれか一項に記載の容器の蓋。
【請求項５】
前記押さえ部と前記嵌合部とが容器のフランジ部へ接することで、容器と容器の蓋が嵌着することを特徴とする請求項１乃至４のいずれか一項に記載の容器の蓋。  
【発明の詳細な説明】
【技術分野】
【０００１】
本発明は、アイスクリームやヨーグルトなどの内容物が入った紙製の容器やプラスチックなどの容器の口部に装着される容器の蓋に関するものである。
【背景技術】
【０００２】
積み重ねられた蓋の上方から、一個づつ正確にバキューム装置で吸着して搬送しながら供給することができる蓋として、特許文献１の包装用容器の蓋が提案されている。特許文献１の包装用容器の蓋は、天井板の外周縁に断面逆Ｕ形の中空立上がり縁が一体的に設けられていて、該中空立上がり縁の上部幅をそれに続く下部幅よりも小さくなるように形成し、該中空立上がり縁の内周面の上部と下部との境界線上に段部を設け、中空立上がり縁の外周面にリング凹条を設けて構成した包装用容器の蓋が提案されている。
【０００３】
【特許文献１】特開平１０−１２０００５号公報
【発明の開示】
【発明が解決しようとする課題】
【０００４】
アイスクリームなどの容器に使用されている蓋として、特許文献１に記載の包装用容器の蓋を店頭でみるが、特許文献１に記載の包装用容器の蓋は、店頭で蓋を簡単に開けることができ、店頭で容器内に異物を混入させたりすることが容易できてしまう欠点がある。そこで、近年、アイスクリームなどが入った容器には、蓋を開けた後でも、口部に樹脂シートやアルミシートなどのシート材を溶着しているものをよく目にする。これは、シート材を開封しなければ容器内に異物を混入させることはできにくくなるので、店頭に商品が陳列された後の悪戯防止を抑制する効果となっている。この種の従来の容器の蓋の一例としては、図１８乃至図２２に示す断面形状の容器の蓋Ａ２が実用化されている。
【０００５】
即ち、図１８及び図２０に示す容器の蓋Ａ２は、円板状の天板部１と、前記天板部１の外周縁の近傍に上方へ突出した断面逆コの字形の突出部３２を形成し、前記突出部３２の外周から下端へ延出した円筒状の側壁部２２を有し、前記突出部３２の上端裏面から下方へ突出した押さえ部３２ｃが設けられていた。また、容器Ｂのフランジ部Ｂ１と容器の蓋Ａ２を嵌着させるためには、図２０に示すように押さえ部３２ｃと側壁部２２裏面の内方に突出した嵌合部２ｂを形成し、押さえ部３２ｃと嵌合部２ｂでフランジ部Ｂ１を当接する構造を有していた。更に、図２１及び図２２に示すように、突出部３２の上端の外周には容器の蓋Ａ２同士の積み重ねが容易にできるように、下方が段差となる棚部２２ａを形成していた。
【０００６】
従って、図１８乃至図２２に示す従来の容器の蓋Ａ２は、射出成形法などで容器の蓋Ａ２を成形する場合に、押さえ部３２ｃを下方へ突出した形状に形成しなければならないため、成形時、押さえ部３２ｃが金型に密着し引っ張られ離型性が悪い問題が発生していた。また、図２１及び図２２に示すように、容器の蓋Ａ２同士を積み重ねる棚部２２ａの段差は、ヒケが発生しないように出来るだけ均一な肉厚を形成することが望ましく、そのため、棚部２２ａとなる段差の落とし込みは、浅い位置に形成することで肉厚が厚くなる箇所を極力少なくする工夫がされている。そのため、スタック性が不安定で輸送時などの振動で崩れやすい問題が発生していた。
【０００７】
本発明の目的は、上記課題を解決し、容器と容器の蓋との嵌着性に優れ、容器の蓋同士のスタック性にも優れ、かつ成形性にも優れた意匠性の高い容器の蓋を提供することである。
【課題を解決するための手段】
【０００８】
円板状の天板部と、前記天板部の外周縁の近傍には上方へ突出した断面逆コの字形の突出部を形成し、前記突出部の外周から下端へ延出した円筒状の側壁部を有する合成樹脂材でできた容器の蓋であって、前記突出部の外周壁は波形に形成しており、前記側壁部と突出部の境目に棚部を設けた容器の蓋である。
【０００９】
円板状の天板部と、前記天板部の外周縁の近傍には上方へ突出した断面逆コの字形の突出部を形成し、前記突出部の外周から下端へ延出した円筒状の側壁部を有する合成樹脂材でできた容器の蓋であって、前記側壁部と突出部の境目に棚部を設け、前記棚部が上下に波形を形成するとともに、前記波形の上端の一部に上方へ突出した外壁凸部を設けた容器の蓋である。
【００１０】
前記棚部の裏面側が押さえ部である容器の蓋である。
【００１１】
前記側壁部の裏面周壁に、内側へ突出した嵌合部を設けた容器の蓋である。
【００１２】
前記押さえ部と前記嵌合部とが容器のフランジ部へ接することで、容器と容器の蓋が嵌着する容器の蓋である。  
【発明の効果】
【００１３】
本発明は、円板状の天板部と、前記天板部の外周縁の近傍には上方へ突出した断面逆コの字形の突出部を形成し、前記突出部の外周から下端へ延出した円筒状の側壁部を有する合成樹脂材でできた容器の蓋であって、前記突出部の外周壁は波形に形成しており、前記側壁部と突出部の境目に棚部を設けた容器の蓋であるので、容器の蓋同士のスタック性に優れ、かつ成形性にも優れた意匠性の高い容器の蓋を提供することができる。
【００１４】
本発明は、円板状の天板部と、前記天板部の外周縁の近傍には上方へ突出した断面逆コの字形の突出部を形成し、前記突出部の外周から下端へ延出した円筒状の側壁部を有する合成樹脂材でできた容器の蓋であって、前記側壁部と突出部の境目に棚部を設け、前記棚部が上下に波形を形成するとともに、前記波形の上端の一部に上方へ突出した外壁凸部を設けた容器の蓋であるので、容器の蓋同士のスタック性に優れ、かつ成形性にも優れた意匠性の高い容器の蓋を提供することができる。
【００１５】
本発明は、前記棚部の裏面側が押さえ部である容器の蓋であるので、容器のフランジ部を押さえ部の面でキッチリと押さえることができる容器の蓋を提供することができる。
【００１６】
本発明は、前記側壁部の裏面周壁に、内側へ突出した嵌合部を設けた容器の蓋であるので、容器のフランジ部が容器の蓋の嵌合部である突起を乗り越えることで、嵌め合いすることができる容器の蓋を提供することができる。
【００１７】
本発明は、前記押さえ部と前記嵌合部とが容器のフランジ部へ接することで、容器と容器の蓋が嵌着する容器の蓋であるので、容器のフランジ部が容器の蓋の嵌合部である突起を乗り越え、フランジ部が前記押さえ部の面でキッチリと押さえることができるので、嵌着性に優れた容器の蓋を提供することができる。
【図面の簡単な説明】
【００１８】
【図１】本発明の実施形態を示す容器の蓋の斜視図である。
【図２】図１の容器の蓋を上からみた平面図である。
【図３】図１に示す容器の蓋の側面図である。
【図４】図２に示すｘ１からｘ２の破線を切断した状態の側面図である。
【図５】図４に示す容器の蓋同士を積み重ねた状態を示す断面図である。
【図６】本発明の容器の蓋同士を積み重ねた状態で、図２に示すｙ１からｙ２の破線の位置で切断した状態を示す断面図である。
【図７】図１に示す容器の蓋を容器とセットした状態の断面図である。
【図８】図７のａ部分を拡大した断面図である。
【図９】本発明の異なる実施形態を示す容器の蓋の斜視図である。
【図１０】図９に示す容器の蓋の側面図である。
【図１１】図９の容器の蓋を上からみた平面図である。
【図１２】図９の容器の蓋を裏面からみた斜視図である。
【図１３】図１１示すｚ１からｚ２の破線を切断した状態の側面図である。
【図１４】図１３のｂ部分を拡大した断面図である。
【図１５】図１３のｃ部分を拡大した断面図である。
【図１６】図１３のｃ部分同士を積み重ねた状態を示す断面図である。
【図１７】図１３のｂ部分同士を積み重ねた状態を示す断面図である。
【図１８】図１３の容器の蓋を容器とセットした状態の断面図である。
【図１９】図１８のｄ部分を拡大した断面図である。
【図２０】従来の公知例を示す斜視図である。
【図２１】図２０に示す容器の蓋を容器とセットした状態の断面図である。
【図２２】図２１のｅ部分を拡大した断面図である。
【図２３】図２０の容器の蓋同士を積み重ねた状態の断面図である
【図２４】図２３のｆ部分を拡大した断面図である。
【発明を実施するための最良の形態】
【００１９】
図１乃至図３において、本発明は、アイスクリームやヨーグルト、プリンやゼリーなどの内容物が入った紙カップや樹脂カップの容器Ｂの口部に嵌着させて容器の蓋Ａである。前記容器の蓋Ａは、ポリプロピレンやポリエチレンなどの合成樹脂を使用して、射出成形法により成形したものである。図４は、図２に示すｘ１からｘ２を切断した状態の断面図を示しているが、本発明の容器の蓋Ａは、図１乃至図４に示すように、円板状の天板部１と、前記天板部１の外周縁の近傍から上方へ突出した、断面逆コの字形の突出部３を形成している。また、前記前記突出部３の外周から下端へ延出した円筒状の側壁部２を形成している。
【００２０】
更に、図３及び図４において、前記突出部３の外壁は前記側壁部２の外壁より内側に形成されている。また、前記突出部３の外周壁は外方へ突出した外壁凸部３ａと内側に凹んだ外壁凹部３ｂが交互に均一に波形を形成している。更に、前記側壁部２の上端側と前記突出部３外壁の下端側の境目に棚部２ａを設けている。よって、図５に示すように、容器の蓋Ａ同士が積み重ねた場合に、側壁部２の下端が棚部２ａの面に設置されるようになるので、前記突出部３の高さ分、深く容器の蓋Ａ同士を積み重ねることができる。
【００２１】
また、図５に示すように、前記外壁凸部３ａが外方へ突出した形状であることで、容器の蓋Ａ同士が積み重ねあった場合に、外壁凸部３ａのもっとも突出した部分と側壁部２の裏面の嵌合部２ｂとの隙間４を、容器の蓋Ａ同士の積み重ねによる横ズレが発生しない程度の隙間４幅を設けることができる。よって、前記突出部３の高さ分、深くスタックできる上、横ズレが発生しない容器の蓋Ａを提供できるので、運搬などで起こる振動による横ズレやスタック崩れが発生しない製品を提供することができる。
【００２２】
図７は、図２のｙ１からｙ２を切断した状態を示す断面図である。本発明の容器の蓋Ａは、紙製カップや樹脂製カップなどの容器Ｂに被せるものであるが、図７に示すように、紙製カップや樹脂製カップの口部には、樹脂シートやアルミシートなどのシート材Ｃを溶着して、未開封であることがひと目でわかるようにしている。本発明の容器の蓋Ａは、前記シート材Ｃを容器の口部に溶着した状態の容器Ｂへ被せるものであるが、前記シート材Ｃを開封して取り除いた後の状態でも、被せて嵌着させることができる容器の蓋Ａである。
【００２３】
図８は図７のａ部を拡大した拡大図である。容器Ｂの口部円周には外方へ環状に突出したフランジ部Ｂ１を有している。本発明の容器の蓋Ａは、前記フランジ部Ｂ１と嵌着させるために、側壁部２内側に内方へ突出した嵌合部２ｂが形成されている。前記容器Ｂへ本発明の容器の蓋Ａを被せた時に、前記フランジ部Ｂ１は、前記嵌合部２ｂを乗り越えて棚部２ａの裏面に形成された押さえ部３ｃにあたり、前記押さえ部３ｃと前記嵌合部２ｂに挟まれたフランジ部Ｂ１が固定され、容器Ｂと容器の蓋Ａが嵌着される。
【００２４】
前記押さえ部３ｃの押さえが最も機能する箇所は、フランジ部Ｂ１と当接する面が一番広い箇所となる図２及び図７、図８に示す外壁凹部３ｂと棚部２ａが接する前記棚部２ａの裏面に形成される押さえ部３ｃである。よって、本発明の容器の蓋Ａに形成される波形の外壁凸部３ａと外壁凹部３ｂは、外壁凸部３ａで容器の蓋Ａ同士のスタック性を高めるとともに、外壁凹部３ｂで容器Ｂと容器の蓋Ａの嵌着性を高め、更に、容器の蓋Ａの側面に波形を形成しているので、他社との形状的な差別化がはかれることによる意匠性に優れた容器の蓋Ａを提供することができる。また、射出成形法において、均一な肉厚を形成することでヒケが生じにくい製品を成形することができるが、本発明の容器の蓋Ａは、図４に示すとおり、均一な肉厚を形成する形状である。よって、ヒケの発生を防ぎ薄肉成形することができるので、成形性にも優れ、また、薄肉成形による原料コストの削減をすることができるものである。
【００２５】
また、容器の蓋を容器の口部へ自動キャッピングできるようにするためには、容器の蓋を多数個積み重ねた状態からバキューム装置などで吸着しても、１個づつ確実に取り出せなければならない。積み重ねられた容器の蓋同士に空気を逃がすための隙間があいていないと、薄肉形状による柔軟性で、上から押された圧力で容器の蓋と下方の容器の蓋が重なりあっている空間に、外からの空気を取り入れることができず減圧状態となったり、輸送時による振動などの摩擦により静電気が発生したりし、容器の蓋同士がくっつきあって、１枚づつ確実に取り出せることができない状態になることがある。本発明の容器の蓋Ａであれば、前記突出部３の外壁が外壁凸部３ａと外壁凹部３ｂとの交互に均一な波形を形成しているので、容器の蓋Ａ同士が重なり合った時に、図６に示すように、前記外壁凹部３ｂと重なり合う側壁部２の裏面との間には、空気を逃がすための隙間４１が常にある状態になるので、減圧や静電気の滞留を防ぎ、上から順に１個づつ確実に容器の蓋Ａを取り出すことができる。
【００２６】
図９乃至図１９は、本発明の異なる実施形態を示した図である。本発明は、アイスクリームやヨーグルト、プリンやゼリーなどの内容物が入った紙カップや樹脂カップの容器Ｂの口部に嵌着させて容器の蓋Ａ１である。前記容器の蓋Ａ１は、ポリプロピレンやポリエチレンなどの合成樹脂を使用して、射出成形法により成形したものである。
【００２７】
図１３は、図１１に示すｚ１からｚ２を切断した状態の断面図を示しているが、本発明の容器の蓋Ａ１は、図９乃至図１３に示すように、円板状の天板部１と、前記天板部１の外周縁の近傍から上方へ突出した、断面逆コの字形の突出部３１を形成している。また、前記前記突出部３１の外周から下端へ延出した円筒状の側壁部２１を形成している。
【００２８】
更に、図９及び図１０において、前記突出部３１の外壁は前記側壁部２１の外壁より内側に形成されている。また、前記側壁部２１と突出部３１の境目に棚部２１ａを設けており、前記棚部２１ａは、上側へ突出した棚凸部２１ｂと下側に凹んだ棚凹部２１ｃが交互に均一に波形を形成している。前記棚凹部２１ｃの断面図が図１２のｂ部でありｂ部の拡大図が図１４である。また、前記棚凸部２１ｂの断面図が図１２のｃ部であり、ｃ部の拡大図が図１５である。図９及び図１０、図１５に示すように、前記棚凸部２１ｂには、前記棚部２１ａの外周より内側であって、前記突出部３１の側壁に沿って上方へ突出した外壁凸部３１ａが形成されている。前記外壁凸部３１ａの突出面は、前記突出部３１の外壁より外方へ突出していて、前記側壁部２１の外壁より内側に形成されている。
【００２９】
よって、図１６に示すように、容器の蓋Ａ１同士が積み重ねた場合に、側壁部２１の下端が棚部２１ａの面に設置され、前記外壁凸部３１ａの外方に突出した突出面と側壁部２１の裏面に設置している嵌合部２ｂとの隙間４を、容器の蓋Ａ１同士の積み重ねによる横ズレが発生しない程度の隙間４幅に形成することができる。よって、運搬などで起こる振動による横ズレやスタック崩れが発生しにくい製品を提供することができる。
【００３０】
図１８及び図１９に示すように、本発明の容器の蓋Ａ１は、紙製カップや樹脂製カップなどの容器Ｂに被せるものであるが、紙製カップや樹脂製カップの口部には、樹脂シートやアルミシートなどのシート材Ｃを溶着して、未開封であることがひと目でわかるようにしている。本発明の容器の蓋Ａ１は、前記シート材Ｃを容器の口部に溶着した状態の容器Ｂへ被せるものであるが、前記シート材Ｃを開封して取り除いた後の状態でも、被せて嵌着させることができる容器の蓋Ａ１である。
【００３１】
図１９は図１８のｄ部を拡大した拡大図である。容器Ｂの口部円周には外方へ環状に突出したフランジ部Ｂ１を有している。本発明の容器の蓋Ａ１は、前記フランジ部Ｂ１と嵌着させるために、側壁部２１内側に内方へ突出した嵌合部２ｂが形成されている。前記容器Ｂへ本発明の容器の蓋Ａ１を被せた時に、前記フランジ部Ｂ１は、前記嵌合部２ｂを乗り越えて棚凹部２１ｃの裏面に形成された図１２に示す押さえ部３１ｃにあたり、図１９に示す前記押さえ部３１ｃと前記嵌合部２ｂに挟まれたフランジ部Ｂ１が固定され、容器Ｂと容器の蓋Ａ１が嵌着される。
【００３２】
前記押さえ部３１ｃの押さえが最も機能する箇所は、フランジ部Ｂ１と当接する面が一番広い箇所となる図１２及び図１８、図１９に示す突出部３１と棚凹部２１ｃが接する裏面に形成される押さえ部３１ｃである。よって、本発明の容器の蓋Ａ１に形成される波形の棚凸部２１ｂと棚凹部２１ｃの波形は、図９及び図１６に示すように、容器の蓋同士Ａ１を積み重ねした時に、下側の容器の蓋Ａ１の棚凸部２１ｂに、上側に積み重なる容器の蓋Ａ１の側壁部２１の下端が当接することになる。更に、下側の容器の蓋Ａ１の前記外壁凸部３１ａと、上側に積み重なる容器の蓋Ａ１の嵌合部２ｂが当接するようになるので、前記外壁凸部３１ａと嵌合部２ｂの間に隙間４がない状態で積み重ねができるようになる。これにより、輸送などの振動による容器の蓋Ａ１同士の荷崩れを発生させない、スタック性が安定した製品を提供することができる。また、図９及び図１９に示すように、前記棚凹部２１ｃの裏面である押さえ部３１ｃと嵌合部２ｂとで、フランジ部Ｂ１を嵌着させることで、容器Ｂと容器の蓋Ａ１の嵌着性を高め、更に、容器の蓋Ａ１の側面に波形を形成しているので、他社との形状的な差別化がはかれることによる意匠性に優れた容器の蓋Ａ１を提供することができる。また、射出成形法において、均一な肉厚を形成することでヒケが生じにくい製品を成形することができるが、本発明の容器の蓋Ａ１は、図１３に示すとおり、ほぼ均一な肉厚を形成した形状である。よって、ヒケの発生を防ぎ薄肉成形することができるので、成形性にも優れ、また、薄肉成形による原料コストの削減をすることができるものである。
【００３３】
また、容器の蓋を容器の口部へ自動キャッピングできるようにするためには、容器の蓋を多数個積み重ねた状態からバキューム装置などで吸着しても、１個づつ確実に取り出せなければならない。積み重ねられた容器の蓋同士に空気を逃がすための隙間があいていないと、薄肉形状による柔軟性で、上から押された圧力で容器の蓋と下方の容器の蓋が重なりあっている空間に、外からの空気を取り入れることができず減圧状態となったり、輸送時による振動などの摩擦により静電気が発生したりし、容器の蓋同士がくっつきあって、１枚づつ確実に取り出せることができない状態になることがある。本発明の容器の蓋Ａ１であれば、前記外壁凸部３１ａが均一に設置されるので、図１７に示すとおり、前記外壁凸部３１ａが設置されていない周壁には空気を逃がすための隙間４１ができるので、減圧や静電気の滞留を防ぎ、上から順に１個づつ確実に容器の蓋Ａ１を取り出すことができる。
【符号の説明】
【００３４】
１      天板部
２      側壁部
２１    側壁部
２２    側壁部
２ａ    棚部
２１ａ  棚部
２１ｂ  棚凸部
２１ｃ  棚凹部
２２ａ  棚部
２ｂ    嵌合部
３      突出部
３１    突出部
３２    突出部
３ａ    外壁凸部
３１ａ  外壁凸部
３ｂ    外壁凹部
３ｃ    押さえ部
３１ｃ  押さえ部
３２ｃ  押さえ部
４      隙間
４１    隙間
Ａ      容器の蓋
Ａ１    容器の蓋
Ａ２    容器の蓋
Ｂ      容器
Ｂ１    フランジ部
Ｃ      シート材
【図１】
2013079094.tif 000003
【図２】
2013079094.tif 000004
【図３】
2013079094.tif 000005
【図４】
2013079094.tif 000006
【図５】
2013079094.tif 000007
【図６】
2013079094.tif 000008
【図７】
2013079094.tif 000009
【図８】
2013079094.tif 000010
【図９】
2013079094.tif 000011
【図１０】
2013079094.tif 000012
【図１１】
2013079094.tif 000013
【図１２】
2013079094.tif 000014
【図１３】
2013079094.tif 000015
【図１４】
2013079094.tif 000016
【図１５】
2013079094.tif 000017
【図１６】
2013079094.tif 000018
【図１７】
2013079094.tif 000019
【図１８】
2013079094.tif 000020
【図１９】
2013079094.tif 000021
【図２０】
2013079094.tif 000022
【図２１】
2013079094.tif 000023
【図２２】
2013079094.tif 000024
【図２３】
2013079094.tif 000025
【図２４】
2013079094.tif 000026